(57)【特許請求の範囲】
【請求項１】
情報記録媒体の情報を再生する情報再生装置において、
情報の読み出し要求に備えて前記情報記録媒体から予め情報を先読みして一時記憶手段に蓄積する情報先読蓄積手段と、予め設定された一定時間を計測する計測手段と、前記情報先読蓄積手段によって前記一時記憶手段が一杯になって情報の先読み処理を終了した時点で前記計測手段を起動し、該計測手段によって一定時間が計測されるまでは前記情報記録媒体を駆動させて待機状態にし、前記一定時間が計測された時点で前記情報記録媒体の駆動を停止させて省電力状態へ遷移する省電力手段とを設けたことを特徴とする情報再生装置。
【請求項２】
請求項１記載の情報再生装置において、
前記情報の読み出し要求の完了時、前記情報先読蓄積手段による情報の先読みが終了しているか否かを判断する先読終了判断手段と、該手段によって情報の先読みが終了したと判断されたとき、前記計測手段の計測を起動させる制御手段を設けたことを特徴とする情報再生装置。
【請求項３】
請求項１記載の情報再生装置において、
前記情報の読み出し要求の完了時、前記情報の読み出し処理が正常終了したか否かを判断する読出正常終了判断手段と、該手段によって情報の読み出し処理が正常に終了しなかったと判断されたとき、前記計測手段の計測を起動させる制御手段を設けたことを特徴とする情報再生装置。
【請求項４】
情報記録媒体の情報を再生する情報再生方法において、
情報の読み出し要求に備えて前記情報記録媒体から予め情報を先読みして一時記憶手段に蓄積し、予め設定された一定時間を計測し、前記一時記憶手段が一杯になって情報の先読み処理を終了した時点で前記計測を起動し、一定時間が計測されるまでは前記情報記録媒体を駆動させて待機状態にし、前記一定時間が計測された時点で前記情報記録媒体の駆動を停止させて省電力状態へ遷移することを特徴とする情報再生方法。
【請求項５】
請求項４記載の情報再生方法において、
前記情報の読み出し要求の完了時、前記情報の先読みが終了しているか否かを判断し、情報の先読みが終了したと判断されたとき、前記計測を起動させることを特徴とする情報再生方法。
【請求項６】
請求項４記載の情報再生装置において、
前記情報の読み出し要求の完了時、前記情報の読み出し処理が正常終了したか否かを判断し、情報の読み出し処理が正常に終了しなかったと判断されたとき、前記計測を起動させることを特徴とする情報再生方法。
【請求項７】
情報記録媒体の情報を再生する情報再生機能と、情報の読み出し要求に備えて情報記録媒体から予め情報を先読みして一時記憶手段に蓄積する情報先読蓄積機能と、予め設定された一定時間を計測する計測機能と、前記情報先読蓄積機能によって前記一時記憶手段が一杯になって情報の先読み処理を終了した時点で前記計測機能を起動し、該計測機能によって一定時間が計測されるまでは前記情報記録媒体を駆動させて待機状態にし、前記一定時間が計測された時点で前記情報記録媒体の駆動を停止させて省電力状態へ遷移する省電力機能と、前記情報の読み出し要求の完了時、前記情報先読蓄積機能による情報の先読みが終了しているか否かを判断する先読終了判断機能と、該機能によって情報の先読みが終了したと判断されたとき、前記計測機能の計測を起動させる第１制御機能と、前記情報の読み出し要求の完了時、前記情報の読み出し処理が正常終了したか否かを判断する読出正常終了判断機能と、該機能によって情報の読み出し処理が正常に終了しなかったと判断されたとき、前記計測機能の計測を起動させる第２制御機能とをコンピュータに実現させる情報再生処理プログラムを記録したコンピュータ読み取り可能な記録媒体。
【発明の詳細な説明】
【０００１】
【発明の属する技術分野】
この発明は、光ディスク等の各種の情報記録媒体に記録された情報を再生する光ディスクドライブ等の情報再生装置に関する。
【０００２】
【従来の技術】
近年、情報記録媒体に記録された情報を再生する光ディスクドライブ等の情報再生装置が多用されている。
【０００３】
例えば、ＣＤ−ＲＯＭドライブの普及に伴い、１度だけ情報の記録が可能であり、情報の記録後はＣＤ−ＲＯＭドライブで読み出すことができる追記可能（ＣＤ−ＲＥＣＯＲＤＡＢＬＥ：ＣＤ−Ｒ）ディスクや、ユニバーサルディスクフォーマット（ＵＮＩＶＥＲＳＡＬ  ＤＩＳＫ  ＦＯＲＭＡＴ：ＵＤＦ）で規定されている情報のランダムな書き換えが可能な再記録可能（ＣＤ−ＲＥＷＲＩＴＡＢＬＥ：ＣＤ−ＲＷ）ディスク等の光ディスクが注目されている。
上記ＵＤＦは、ディスクフォーマットの世界統一標準規格である。
【０００４】
一般に、上記のような光ディスクの情報の再生を行う光ディスクドライブは、ホストコンピュータに接続し、ユーザからの指示に基づくホストコンピュータからの転送要求に対して迅速にデータにデータ転送を行う必要がある。
そのため、光ディスクドライブは、ホストコンピュータからのアクセスが無い待機状態であっても光ディスクの回転駆動制御を継続して行っている。
【０００５】
しかし、ホストコンピュータからのアクセスがない場合でも光ディスクの回転駆動を継続して行うことは、省電力の観点から見れば非常に効率の悪いものであるから、ホストコンピュータから一定時間のアクセスが発生しない場合は、光ディスクの回転を減速、または停止させて省電力状態へ遷移する省電力機能を備えた光ディスクドライブがある。
【０００６】
例えば、装置内部に省電力用タイマを有し、ホストコンピュータからの読み出し要求が完了した時点で省電力用タイマを起動して、その後、ホストコンピュータから読み出し要求がくれば省電力用タイマをリセットし、また、一定時間待機状態であれば省電力用タイマによって計測された所定時間後に省電力状態へ遷移する光ディスクドライブ（例えば、特開平１１−１６２１０１号公報参照）が提案されている。
【０００７】
【発明が解決しようとする課題】
しかしながら、上記のような光ディスクドライブでは、ホストコンピュータから連続してディスクアクセス要求（コマンド）がくるような状況においては、個々のディスクアクセス要求毎に省電力タイマを起動することになり、コマンド毎に省電力タイマを起動した場合、そのタイマ起動に要する時間がコマンドオーバーヘッドになるため、読み出し処理のパフォーマンスを落とすことにつながる。特に高速処理を必要とする光ディスク読み出し要求などにおいては転送のパフォーマンスを落とすという問題があった。
【０００８】
また、読み出し要求が連続して行われるか否かはホストコンピュータを操作するユーザ次第であり、非同期であるため、光ディスクドライブは各コマンド後に省電力タイマの起動を行う必要があるので、制御処理の負担が増加するという問題もあった。
【０００９】
この発明は上記の課題を解決するためになされたものであり、情報の読み出し要求が非同期に連続するとき、情報読み出し処理のパフォーマンスが省電力機能によって低下するのを防止することを目的とする。
【００１０】
【課題を解決するための手段】
この発明は上記の目的を達成するため、情報記録媒体の情報を再生する情報再生装置において、情報の読み出し要求に備えて上記情報記録媒体から予め情報を先読みして一時記憶手段に蓄積する情報先読蓄積手段と、予め設定された一定時間を計測する計測手段と、上記情報先読蓄積手段によって上記一時記憶手段が一杯になって情報の先読み処理を終了した時点で上記計測手段を起動し、その計測手段によって一定時間が計測されるまでは上記情報記録媒体を駆動させて待機状態にし、上記一定時間が計測された時点で上記情報記録媒体の駆動を停止させて省電力状態へ遷移する省電力手段を設けたものである。
【００１１】
また、上記のような情報再生装置において、上記情報の読み出し要求の完了時、上記情報先読蓄積手段による情報の先読みが終了しているか否かを判断する先読終了判断手段と、その手段によって情報の先読みが終了したと判断されたとき、上記計測手段の計測を起動させる制御手段を設けるとよい。
【００１２】
さらに、上記のような情報再生装置において、上記情報の読み出し要求の完了時、上記情報の読み出し処理が正常終了したか否かを判断する読出正常終了判断手段と、その手段によって情報の読み出し処理が正常に終了しなかったと判断されたとき、上記計測手段の計測を起動させる制御手段を設けるとよい。
【００１３】
また、情報記録媒体の情報を再生する情報再生方法において、情報の読み出し要求に備えて上記情報記録媒体から予め情報を先読みして一時記憶手段に蓄積し、予め設定された一定時間を計測し、上記一時記憶手段が一杯になって情報の先読み処理を終了した時点で上記計測を起動し、一定時間が計測されるまでは上記情報記録媒体を駆動させて待機状態にし、上記一定時間が計測された時点で上記情報記録媒体の駆動を停止させて省電力状態へ遷移する情報再生方法を提供する。
【００１４】
また、上記のような情報再生方法において、上記情報の読み出し要求の完了時、上記情報の先読みが終了しているか否かを判断し、情報の先読みが終了したと判断されたとき、上記計測を起動させるとよい。
【００１５】
さらに、上記のような情報再生装置において、上記情報の読み出し要求の完了時、上記情報の読み出し処理が正常終了したか否かを判断し、情報の読み出し処理が正常に終了しなかったと判断されたとき、上記計測を起動させるとよい。
【００１６】
また、情報記録媒体の情報を再生する情報再生機能と、情報の読み出し要求に備えて情報記録媒体から予め情報を先読みして一時記憶手段に蓄積する情報先読蓄積機能と、予め設定された一定時間を計測する計測機能と、上記情報先読蓄積機能によって上記一時記憶手段が一杯になって情報の先読み処理を終了した時点で上記計測機能を起動し、その計測機能によって一定時間が計測されるまでは上記情報記録媒体を駆動させて待機状態にし、上記一定時間が計測された時点で上記情報記録媒体の駆動を停止させて省電力状態へ遷移する省電力機能と、上記情報の読み出し要求の完了時、上記情報先読蓄積機能による情報の先読みが終了しているか否かを判断する先読終了判断機能と、その機能によって情報の先読みが終了したと判断されたとき、上記計測機能の計測を起動させる第１制御機能と、上記情報の読み出し要求の完了時、上記情報の読み出し処理が正常終了したか否かを判断する読出正常終了判断機能と、その機能によって情報の読み出し処理が正常に終了しなかったと判断されたとき、上記計測機能の計測を起動させる第２制御機能とをコンピュータに実現させる情報再生処理プログラムを記録したコンピュータ読み取り可能な記録媒体を提供する。
【００１７】
【発明の実施の形態】
以下、この発明の実施形態を図面に基づいて具体的に説明する。
図１は、この発明の一実施形態である光ディスクドライブの構成を示す機能ブロック図である。
【００１８】
この実施形態の光ディスクドライブは、ＣＤ，ＣＤ−Ｒ，ＤＣ−ＲＷ，ＤＶＤ等の光ディスク１２を回転させるスピンドルモータ（以下「モータ」と称する）１と、半導体レーザを搭載して光ディスク１２の記録領域にレーザ光Ｌを照射する光ピックアップ２と、その光ピックアップ２をその内部に設けられているシークモータと共同して光ディスク１２の半径方向に移動させる粗動モータ３を備えている。
【００１９】
また、モータ１の回転制御を行う回転制御系４と、粗動モータ３の駆動制御を行う粗動モータ制御系５と、光ピックアップ２の制御を行う光ピックアップ制御系６と、光ピックアップ２によって読み取った情報の信号及び光ディスク１２の記録領域に書き込む情報の信号を送受する信号処理系７を備えている。
【００２０】
さらに、光ディスク１２から再生された情報を一時的に蓄積するキャッシュメモリ８と、省電力モードに移行するための予め設定された一定時間を計測する省電力用タイマ９と、上記制御系４〜６及び信号処理系７の制御処理と共に、この発明に係る情報の先読み処理及び省電力制御処理を行うＣＰＵ，ＲＯＭ及びＲＡＭ等からなるマイクロコンピュータによって実現されるコントローラ１０を備えている。
【００２１】
また、コントローラ１０は外部インタフェース１１を介してホストコンピュータに接続されており、ホストコンピュータからの指示に基づいて光ディスク１２から読み取った情報をホストコンピュータへ送出し、ホストコンピュータから光ディスク１２に書き込む情報を受け取る。
【００２２】
そして、この光ディスクドライブは、光ディスク１２をモータ１によって回転させながら光ピックアップ２をその光ディスク１２の半径方向に移動させ、光ピックアップ２の半導体レーザからレーザ光Ｌを光ディスク１２の記録面上の記録領域に照射させて情報の記録及び再生を行う。
【００２３】
また、再生の際、ホストコンピュータからの情報の読み出し要求に基づいて光ディスク１２から情報の読み出しを行い、要求された情報の読み出しが終了しても引き続いて情報の読み出しとキャッシュメモリ８への蓄積を行う先読み処理を実行する。
【００２４】
さらに、キャッシュメモリ８が先読みした情報で一杯になった後に省電力用タイマ９を起動させ、予め設定された一定時間であるユーザ要求の待機状態の時間を計測し、省電力用タイマ９による一定時間が経過したらスピンドルモータ１による光ディスク１２の回転の減速もしくは停止を行う省電力制御処理を行う。
【００２５】
すなわち、上記コントローラ１０が、情報の読み出し要求に備えて上記情報記録媒体（光ディスク１２）から予め情報を先読みして一時記憶手段（キャッシュメモリ８）に蓄積する情報先読蓄積手段の機能を、上記省電力用タイマ９が予め設定された一定時間を計測する計測手段の機能をそれぞれ果たす。
【００２６】
また、上記コントローラ１０は、上記情報先読蓄積手段によって上記一時記憶手段（キャッシュメモリ８）が一杯になって情報の先読み処理を終了した時点で上記計測手段（省電力用タイマ９）を起動し、その計測手段によって一定時間が計測されるまでは上記情報記録媒体を駆動させて待機状態にし、上記一定時間が計測された時点で上記情報記録媒体の駆動を停止させて省電力状態へ遷移する省電力手段の機能も果たす。
【００２７】
この光ディスクドライブは、キャッシュメモリ８を設け、コントローラ１０は、ホストコンピュータから情報の読み出し要求が来たときに、その要求されたアドレス以降の情報をキャッシュメモリ８内に予め蓄えておき、ホストコンピュータから続けてきた同アドレス以降の情報の読み出し要求に対して、キャッシュメモリ８内にキャッシュされた該当する情報をホストコンピュータに返す先読み機能を実行する。
【００２８】
したがって、光ディスクからの情報の先読み機能によって、ＣＤのように比較的読み出し速度の遅い情報記録媒体を扱う場合の高速読み出しを行うことができる。
【００２９】
さらに、コントローラ１０は、情報の読み出し要求によってユーザから指定された情報をホストコンピュータへ転送した後も付き続いて情報の先読みを行い、その先読みをキャッシュメモリが一杯になった時点で終了させ、ホストコンピュータからの情報の読み出し要求毎にタイマ起動を行わない。
【００３０】
こうして、情報の読み出し要求が連続して発行されている間は、読み出し処理が完了後も先読みを続けて省電力用タイマ９を起動しないので、連続読み出しの際の実行時間を短縮することが可能になる。
【００３１】
また、ホストコンピュータからの情報の読み出し要求が来なくなった場合は、キャッシュメモリ８が一杯になって先読み処理が終了したら省電力タイマを起動するので、ユーザからの非同期の読み出し要求において、効率よく省電力用タイマ９を起動することが可能になる。
【００３２】
図２は、図１に示した光ディスクドライブにおけるこの発明の請求項１に係わる省電力用タイマの起動制御処理を示すフローチャート図である。
【００３３】
この起動制御処理は、ホストコンピュータから情報の読み出し要求のコマンドが来た場合、ステップ（図中「Ｓ」で示す）１で光ディスクからコマンドによって要求されたデータ（情報）の読み出しを行い、ステップ２へ進んで情報の読み出し処理終了後、ステップ３へ進んで光ディスクから情報を先読みしてキャッシュメモリに蓄積する先読み処理を続ける。
【００３４】
ステップ４へ進んでホストコンピュータからさらに情報の読み出し要求のコマンドが有ったか否かを判断して、情報の先読み中にさらに情報の読み出し要求が来た場合は、ステップ１の処理へ戻って上述と同様の処理を行う。
【００３５】
ステップ４でホストコンピュータから情報の読み出し要求が無い判断すると、ステップ５へ進んで先読み処理が完了したか否かを判断し、先読み処理が未完ならステップ３へ戻ってデータの先読みを継続し、ステップ５の判断でキャッシュメモリが一杯になって先読みが完了した時点でステップ６へ進んで省電力用タイマを起動し、この処理を終了する。
【００３６】
こうして、コントローラ１０は、ホストコンピュータから読み出し要求が連続して発行されている間は、読み出し要求完了後も先読みを続けて省電力用タイマを起動せず、読み出し要求が来なくなりキャッシュメモリが一杯になって先読み処理が終了したら、省電力用タイマを起動する。
【００３７】
そして、省電力用タイマ９による一定時間が経過した時点で新たな情報の読み出し要求が無ければ、回転制御系４によるスピンドルモータ１の回転を減速あるいは停止させる省電力処理を実行する。
【００３８】
このようにして、先読み機能でキャッシュメモリ８が一杯になり、情報の先読みが終了した時点で省電力用タイマ９を起動するので、省電力機能を有効にしながらもホストコンピュータからの情報の読み出し要求完了毎に省電力用タイマ９を起動せずに済み、情報の読み出し処理のパフォーマンスの低下を防止することができる。
【００３９】
次に、上記光ディスクドライブでは、情報の先読み処理が完了した後、キャッシュメモリ８内の情報に対して読み出し要求が来た場合は、光ディスク１２へのアクセスを行わずにキャッシュメモリ８内に蓄積された該当する情報を転送して読み出し要求を完了するが、その場合、情報の読み出し要求後に先読みを行わないので、読み出し要求完了時に省電力用タイマを起動する必要がある。
そこで、上述の省電力用タイマの起動制御処理において、さらに情報の読み出し処理終了時にも同様の起動制御処理を行うとよい。
【００４０】
すなわち、上記コントローラ１０が、上記情報の読み出し要求の完了時、上記情報先読蓄積手段による情報の先読みが終了しているか否かを判断する先読終了判断手段と、その手段によって情報の先読みが終了したと判断されたとき、上記計測手段（省電力用タイマ）の計測を起動させる制御手段の機能を果たすようにすると良い。
【００４１】
図３は、図１に示した光ディスクドライブにおけるこの発明の請求項２に係わる省電力用タイマの起動制御処理を示すフローチャート図である。
この起動制御処理は、情報の読み出し処理が終了した場合、ステップ１１で情報の先読み中か否かを判断し、先読み中でなければその時点で、ステップ１４へ進んで省電力用タイマを起動する。
【００４２】
ステップ１１の判断で先読み中なら、ステップ１２へ進んでデータ（情報）の先読みを継続し、ステップ１３へ進んで先読み処理が完了したか否かを判断し、先読み処理が未完ならステップ１２へ戻ってデータの先読みを継続し、ステップ１３の判断でキャッシュメモリが一杯になって先読みが完了した時点でステップ１４へ進んで省電力用タイマを起動し、この処理を終了する。
【００４３】
このようにして、読み出し要求完了時にも省電力用タイマを自動的に起動することができる。
【００４４】
次に、上記光ディスクドライブでは、情報の読み出し要求がエラー終了した場合は、読み出し要求後に先読みが行われないので、情報の読み出し要求完了時に省電力用タイマを起動する必要がある。
そこで、上述の省電力用タイマの起動制御処理において、さらに情報の読み出し処理のエラー終了時にも同様の起動制御処理を行うとよい。
【００４５】
すなわち、上記コントローラ１０が、上記情報の読み出し要求の完了時、上記情報の読み出し処理が正常終了したか否かを判断する読出正常終了判断手段と、その手段によって情報の読み出し処理が正常に終了しなかった（エラー終了）と判断されたとき、上記計測手段（省電力用タイマ）の計測を起動させる制御手段の機能を果たすようにすると良い。
【００４６】
図４は、図１に示した光ディスクドライブにおけるこの発明の請求項３に係わる省電力用タイマの起動制御処理を示すフローチャート図である。
この起動制御処理は、情報の読み出し処理が終了した場合、ステップ２１で情報の読み出しが正常に終了したか否かを判断し、正常に終了せずにエラー終了した場合にはステップ２４へ進んで省電力用タイマを起動する。
【００４７】
ステップ２１の判断で情報の読み出し処理が正常に終了したら、ステップ２２へ進んでデータ（情報）の先読みを継続し、ステップ２３へ進んで先読み処理が完了したか否かを判断し、先読み処理が未完ならステップ２２へ戻ってデータの先読みを継続し、ステップ２３の判断でキャッシュメモリが一杯になって先読みが完了した時点でステップ２４へ進んで省電力用タイマを起動し、この処理を終了する。
【００４８】
このようにして、読み出し処理がエラー終了時にも省電力用タイマを自動的に起動することができる。
【００４９】
上述の実施形態では、上記先読み機能と省電力機能を含む情報再生処理を行う専用の光ディスクドライブについて説明したが、フロッピディスク，光ディスク等の情報記録媒体に上記先読み機能と省電力機能を含む情報再生を行う情報再生処理プログラムを記憶させて、一般的な光ディスクドライブに対して、その情報記録媒体を介して上記情報再生処理プログラムをインストールし、光ディスクドライブのＣＰＵ，ＲＯＭ及びＲＡＭ等からなるマイクロコンピュータによって実現されるコントローラで動作させることにより、上述のような情報再生処理を実現することができる。
【００５０】
すなわち、上記フロッピディスク，光ディスク等の情報記録媒体が、次の（１）〜（８）の機能をコンピュータに実現させる情報再生処理プログラムを記録したコンピュータ読み取り可能な記録媒体に相当する。
【００５１】
（１）情報記録媒体の情報を再生する情報再生機能
（２）情報の読み出し要求に備えて情報記録媒体から予め情報を先読みして一時記憶手段に蓄積する情報先読蓄積機能
（３）予め設定された一定時間を計測する計測機能
【００５２】
（４）上記情報先読蓄積機能によって上記一時記憶手段が一杯になって情報の先読み処理を終了した時点で上記計測機能を起動し、その計測機能によって一定時間が計測されるまでは上記情報記録媒体を駆動させて待機状態にし、上記一定時間が計測された時点で上記情報記録媒体の駆動を停止させて省電力状態へ遷移する省電力機能
【００５３】
（５）上記情報の読み出し要求の完了時、上記情報先読蓄積機能による情報の先読みが終了しているか否かを判断する先読終了判断機能
（６）上記先読終了判断機能によって情報の先読みが終了したと判断されたとき、上記計測機能の計測を起動させる第１制御機能
【００５４】
（７）上記情報の読み出し要求の完了時、上記情報の読み出し処理が正常終了したか否かを判断する読出正常終了判断機能
（８）上記読出正常終了判断機能によって情報の読み出し処理が正常に終了しなかったと判断されたとき、上記計測機能の計測を起動させる第２制御機能
【００５５】
上記一時記憶手段は、先読み機能を備えた光ディスクドライブならば、その先読み機能のためのキャッシュメモリを用いても良いし、他のメモリ領域の一部を用いるようにしても良い。
また、上記計測機能は、省電力機能を備えた光ディスクドライブならば、その省電力機能のためのタイマを用いても良いし、通常の制御処理用のタイマを用いても良い。
【００５６】
そして、上記光ディスクドライブの制御部が、情報の読み出し要求に備えて上記情報記録媒体から予め情報を先読みして一時記憶手段に蓄積し、予め設定された一定時間を計測し、上記一時記憶手段が一杯になって情報の先読み処理を終了した時点で上記計測を起動し、一定時間が計測されるまでは上記情報記録媒体を駆動させて待機状態にし、上記一定時間が計測された時点で上記情報記録媒体の駆動を停止させて省電力状態へ遷移する処理を行う。
【００５７】
また、上記情報の読み出し要求の完了時、上記情報の先読みが終了しているか否かを判断し、情報の先読みが終了したと判断されたとき、上記計測を起動させる処理を行う。
【００５８】
さらに、上記情報の読み出し要求の完了時、上記情報の読み出し処理が正常終了したか否かを判断し、情報の読み出し処理が正常に終了しなかったと判断されたとき、上記計測を起動させる処理を行う。
【００５９】
この発明は、情報記憶メディアとして光ディスクのようにユーザ要求を待機している状態から省電力状態への遷移に用いる装置内部のタイマの起動方式を採用しているコンパクトディスク再生装置等の光ディスクドライブに適用できる。
また、キャッシュメモリによる先読み機能と、装置の内部タイマによる省電力遷移機能とを有する情報再生装置全般にも適用することが可能である。
【００６０】
さらに、上述の実施形態では光ディスクの再生を行う光ディスクドライブの場合を説明したが、その他の情報記録媒体を再生する情報再生装置についても同様に実施することができる。
【００６１】
【発明の効果】
以上説明してきたように、この発明の情報再生装置と情報再生方法と情報再生処理プログラムを記録したコンピュータ読み取り可能な記録媒体によれば、情報の読み出し要求が非同期に連続するとき、情報読み出し処理のパフォーマンスが省電力機能によって低下するのを防止することができる。
【図面の簡単な説明】
【図１】この発明の一実施形態である光ディスクドライブの構成を示す機能ブロック図である。
【図２】図１に示した光ディスクドライブにおけるこの発明の請求項１に係わる省電力制御処理を示すフローチャート図である。
【図３】図１に示した光ディスクドライブにおけるこの発明の請求項２に係わる省電力制御処理を示すフローチャート図である。
【図４】図１に示した光ディスクドライブにおけるこの発明の請求項３に係わる省電力制御処理を示すフローチャート図である。
【符号の説明】
１：スピンドルモータ  ２：光ピックアップ
３：粗動モータ        ４：回転制御系
５：粗動モータ制御系  ６：光ピックアップ制御系
７：信号処理系        ８：キャッシュメモリ
９：省電力用タイマ        １０：コントローラ
１１：外部インタフェース  １２：光ディスク
Ｌ：レーザ光
【図１】
0003701838.tif 000002
【図２】
0003701838.tif 000003
【図３】
0003701838.tif 000004
【図４】
0003701838.tif 000005